(57)【要約】【課題】大量の凝集剤を必要としないフッ素含有排水処理方法及びフッ素含有排水処理システムを提供する。【解決手段】フッ素含有排水処理方法では、フッ素含有排水にカルシウム化合物を加えて、フッ化カルシウム含有固形物を含む懸濁液を生成するフッ化カルシウム生成工程と、分離膜３ｃを有する循環経路２３へ懸濁液を供給し、フッ化カルシウム含有固形物の濃度を高めた濃縮液と分離膜３ｃを透過した処理水とを得る濃縮循環工程と、処理水のフッ素濃度を検出するフッ素濃度検出工程と、濃縮液の一部を系外に排出する濃縮液排出工程と、フッ化カルシウム含有固形物の濃度を検出する固形物濃度検出工程と、フッ化カルシウム含有固形物の濃度が第１基準値になるように、濃縮液の排出量を調整する固形物濃度調整工程と、を備え、フッ素濃度が第２基準値を上回る場合は、第１基準値を増加させる調整を行う。【選択図】図１
2015016447.tif 000002
【特許請求の範囲】
【請求項１】
フッ素含有排水にカルシウム化合物を加えて、フッ化カルシウム含有固形物を含む懸濁液を生成するフッ化カルシウム生成工程と、
分離膜を有する循環経路へ前記懸濁液を供給し、前記フッ化カルシウム含有固形物の濃度を高めた濃縮液と分離膜を透過した処理水とを得る濃縮循環工程と、
前記処理水のフッ素濃度を検出するフッ素濃度検出工程と、
前記濃縮循環工程における前記濃縮液の一部を系外に排出する濃縮液排出工程と、
前記濃縮循環工程において前記フッ化カルシウム含有固形物の濃度を検出する固形物濃度検出工程と、
前記固形物濃度検出工程における前記フッ化カルシウム含有固形物の濃度が第１基準値になるように、前記濃縮液排出工程における前記濃縮液の排出量を調整する固形物濃度調整工程と、を備え、
前記フッ素濃度が第２基準値を上回る場合は、前記第１基準値を増加させる調整を行うフッ素含有排水処理方法。
【請求項２】
前記濃縮循環工程における濃縮液の一部を前記フッ化カルシウム生成工程に返送する濃縮液返送工程と、
前記濃縮液返送工程において前記濃縮液の返送量を検出する濃縮液返送量検出工程と、
前記濃縮液返送量検出工程における前記濃縮液の返送量が第３基準値になるように調整する濃縮液返送量調整工程と、をさらに備え、
前記フッ素濃度が第２基準値を上回る場合は、前記第１基準値を増加させることなく、前記第３基準値を増加させる調整、又は、前記第１基準値を増加させ、かつ前記第３基準値を増加させる調整を行う請求項１に記載のフッ素含有排水処理方法。
【請求項３】
前記固形物濃度調整工程は、前記フッ化カルシウム含有固形物の濃度が第１基準値を上回った場合、前記濃縮液排出工程における前記濃縮液の排出量を増加させる調整を行う請求項１又は２に記載のフッ素含有排水処理方法。
【請求項４】
前記分離膜は、孔径０．１〜０．８μｍの内圧式の精密ろ過膜である請求項１〜３の何れか一項に記載のフッ素含有排水処理方法。
【請求項５】
前記濃縮循環工程における前記フッ化カルシウム含有固形物の濃度は、１００００ｍｇ/Ｌ〜８００００ｍｇ/Ｌである請求項１〜４の何れか１項に記載のフッ素含有排水処理方法。
【請求項６】
フッ素含有排水にカルシウム化合物を加えて、フッ化カルシウム含有固形物を含む懸濁液を生成するフッ化カルシウム生成手段と、
分離膜を有する循環経路へ前記懸濁液を供給し、前記フッ化カルシウム含有固形物の濃度を高めた濃縮液と分離膜を透過した処理水とを得る濃縮循環手段と、
前記処理水のフッ素濃度を検出するフッ素濃度検出手段と、
前記濃縮循環手段における前記濃縮液の一部を系外に排出する濃縮液排出手段と、
前記濃縮循環手段において前記フッ化カルシウム含有固形物の濃度を検出する固形物濃度検出手段と、
前記固形物濃度検出手段における前記フッ化カルシウム含有固形物の濃度が第１基準値になるように、前記濃縮液排出手段における前記濃縮液の排出量を調整する固形物濃度調整手段と、を備え、
前記フッ素濃度が第２基準値を上回る場合は、前記第１基準値を増加させる調整を行うフッ素含有排水処理システム。
【請求項７】
前記濃縮循環手段における濃縮液の一部を前記フッ化カルシウム生成手段に返送する濃縮液返送手段と、
前記濃縮液返送手段において前記濃縮液の返送量を検出する濃縮液返送量検出手段と、
前記濃縮液返送量検出手段における前記濃縮液の返送量が第３基準値になるように調整する濃縮液返送量調整手段と、をさらに備え、
前記フッ素濃度が第２基準値を上回る場合は、前記第１基準値を増加させることなく、前記第３基準値を増加させる調整、又は、前記第１基準値を増加させ、かつ前記第３基準値を増加させる調整を行う請求項６に記載のフッ素含有排水処理システム。
【請求項８】
前記固形物濃度調整手段は、前記フッ化カルシウム含有固形物の濃度が第１基準値を上回った場合、前記濃縮液排出手段における前記濃縮液の排出量を増加させる調整を行う請求項６又は７に記載のフッ素含有排水処理システム。
【請求項９】
前記分離膜は、孔径０．１〜０．８μｍの内圧式の精密ろ過膜である請求項６〜８の何れか一項に記載のフッ素含有排水処理システム。
【請求項１０】
前記濃縮循環手段における前記フッ化カルシウム含有固形物の濃度は、１００００ｍｇ/Ｌ〜８００００ｍｇ/Ｌである請求項６〜９の何れか一項に記載のフッ素含有排水処理システム。
【発明の詳細な説明】
【技術分野】
【０００１】
フッ素含有排水処理方法及びフッ素含有排水処理システムに関するものである。
【背景技術】
【０００２】
フッ素含有排水としては、例えば、半導体製造工場においてガラスエッチング工程で排出されるガラスエッチング排水、発電所においてカルシウム化合物を含有する吸収液で石炭燃焼排ガスを処理する排煙脱硫装置から排出される排煙脱硫排水、及びフッ素化学工場において排出される排水等が挙げられる。
【０００３】
従来、このようなフッ素含有排水を処理する技術として、下記特許文献１に記載の方法が知られている。この方法では、まず、フッ素含有排水にカルシウム化合物を添加し、フッ化カルシウム（ＣａＦ２）としてフッ素を沈殿除去した後、ポリ塩化アルミニウム（ＰＡＣ）、硫酸アルミニウム（硫酸バンド）といったアルミニウム系凝集剤、及び高分子凝集剤を順次添加し、フッ素を低濃度まで沈殿除去する。フッ化カルシウムは水への溶解度が高いため、カルシウム化合物を添加するだけではフッ素が多く溶存するが、この方法によれば、フッ素を低濃度まで除去することができる。
【先行技術文献】
【特許文献】
【０００４】
【特許文献１】特開平１０−５７６９号公報
【発明の概要】
【発明が解決しようとする課題】
【０００５】
しかしながら、この方法では、凝集剤が大量に必要となる。特に、フッ素含有排水のフッ素の濃度が高くなると凝集剤の添加量を著しく増加させなければならない。
【０００６】
そこで、本発明は、大量の凝集剤を必要としないフッ素含有排水処理方法及びフッ素含有排水処理システムを提供することを目的とする。
【課題を解決するための手段】
【０００７】
本発明のフッ素含有排水処理方法は、フッ素含有排水にカルシウム化合物を加えて、フッ化カルシウム含有固形物を含む懸濁液を生成するフッ化カルシウム生成工程と、分離膜を有する循環経路へ懸濁液を供給し、フッ化カルシウム含有固形物の濃度を高めた濃縮液と分離膜を透過した処理水とを得る濃縮循環工程と、処理水のフッ素濃度を検出するフッ素濃度検出工程と、濃縮循環工程における濃縮液の一部を系外に排出する濃縮液排出工程と、濃縮循環工程においてフッ化カルシウム含有固形物の濃度を検出する固形物濃度検出工程と、固形物濃度検出工程におけるフッ化カルシウム含有固形物の濃度が第１基準値になるように、濃縮液排出工程における濃縮液の排出量を調整する固形物濃度調整工程と、を備え、フッ素濃度が第２基準値を上回る場合は、第１基準値を増加させる調整を行う。
【０００８】
本発明のフッ素含有排水処理システムは、フッ素含有排水にカルシウム化合物を加えて、フッ化カルシウム含有固形物を含む懸濁液を生成するフッ化カルシウム生成手段と、分離膜を有する循環経路へ懸濁液を供給し、フッ化カルシウム含有固形物の濃度を高めた濃縮液と分離膜を透過した処理水とを得る濃縮循環手段と、処理水のフッ素濃度を検出するフッ素濃度検出手段と、濃縮循環手段における濃縮液の一部を系外に排出する濃縮液排出手段と、濃縮循環手段においてフッ化カルシウム含有固形物の濃度を検出する固形物濃度検出手段と、固形物濃度検出手段におけるフッ化カルシウム含有固形物の濃度が第１基準値になるように、濃縮液排出手段における濃縮液の排出量を調整する固形物濃度調整手段と、を備え、フッ素濃度が第２基準値を上回る場合は、第１基準値を増加させる調整を行う。
【０００９】
これらのフッ素含有排水処理方法及びフッ素含有排水処理システムによれば、フッ素含有排水にカルシウム化合物を加えて、フッ化カルシウム含有固形物を含む懸濁液を生成し、分離膜を有する循環経路へ懸濁液を供給することで、フッ化カルシウム含有固形物の濃度を高めた濃縮液を得る。分離膜を透過した処理水のフッ素濃度が第２基準値を上回る場合は、フッ化カルシウム含有固形物の濃度を増加させる調整を行うので、処理水のフッ素濃度が第２基準値を大きく上回って増大することを避けることができる。
【００１０】
本発明のフッ素含有排水処理方法は、濃縮循環工程における濃縮液の一部をフッ化カルシウム生成工程に返送する濃縮液返送工程と、濃縮液返送工程において濃縮液の返送量を検出する濃縮液返送量検出工程と、濃縮液返送量検出工程における濃縮液の返送量が第３基準値になるように調整する濃縮液返送量調整工程と、をさらに備え、フッ素濃度が第２基準値を上回る場合は、第１基準値を増加させることなく、第３基準値を増加させる調整、又は、第１基準値を増加させ、かつ第３基準値を増加させる調整を行う。
【００１１】
本発明のフッ素含有排水処理システムは、濃縮循環手段における濃縮液の一部を前記フッ化カルシウム生成手段に返送する濃縮液返送手段と、濃縮液返送手段において濃縮液の返送量を検出する濃縮液返送量検出手段と、濃縮液返送量検出手段における濃縮液の返送量が第３基準値になるように調整する濃縮液返送量調整手段と、をさらに備え、フッ素濃度が第２基準値を上回る場合は、第１基準値を増加させることなく、第３基準値を増加させる調整、又は、第１基準値を増加させ、かつ第３基準値を増加させる調整を行う。
【００１２】
これらのフッ素含有排水処理方法及びフッ素含有排水処理システムによれば、分離膜を透過した処理水のフッ素濃度が第２基準値を上回る場合は、フッ化カルシウム含有固形物の濃度を増加させる調整以外にも、濃縮液の返送量を増加させる調整を行うことができる。
【００１３】
本発明のフッ素含有排水処理方法及びフッ素含有排水処理システムは、フッ化カルシウム含有固形物の濃度が第１基準値を上回った場合、濃縮液の排出量を増加させる調整を行うこととしてもよい。これらによれば、濃縮液におけるフッ化カルシウム含有固形物の濃度が第１基準値を大きく上回ることがない。濃縮液におけるフッ化カルシウム含有固形物の濃度を低くすることができるので、分離膜を有する循環系への負担を抑え、膜ろ過の安定性を保つことができる。
【００１４】
本発明のフッ素含有排水処理方法及びフッ素含有排水処理システムでは、分離膜は、孔径０．１〜０．８μｍの内圧式の精密ろ過膜としてもよい。孔径が０．８μｍより大きいと、微細なフッ化カルシウム含有固形物が透過して処理水に漏れるおそれがある。また、孔径が０．１μｍより小さいと、分離膜のろ過水量が低下し、その結果、分離膜の必要膜面積が大きくなるため、設備の設置面積が大きくなり、かつ、設備費も高くなるおそれがある。
【００１５】
本発明のフッ素含有排水処理方法及びフッ素含有排水処理システムでは、濃縮液におけるフッ化カルシウム含有固形物の濃度は、１００００ｍｇ/Ｌ〜８００００ｍｇ/Ｌであることとしてもよい。これらによれば、フッ化カルシウム含有固形物によるフッ素濃度低減効果を十分に発揮しつつ、分離膜のろ過水量を安定的に保つことができる。
【発明の効果】
【００１６】
本発明によれば、大量の凝集剤を必要としないフッ素含有排水処理方法及びフッ素含有排水処理システムを提供することができる。
【図面の簡単な説明】
【００１７】
【図１】本発明の一実施形態に係るフッ素含有排水処理システムの構成図である。
【図２】定常状態における流量バランスの説明図である。
【図３】定常状態における固形物濃度の説明図である。
【図４】従来のフッ素含有排水処理システムの構成図である。
【図５】制御部を有するフッ素含有排水処理システムの構成図である。
【発明を実施するための形態】
【００１８】
以下、本発明に係るフッ素含有排水処理方法及びフッ素含有排水処理システムの一実施形態について詳細に説明する。なお、各図において同一部分又は相当部分には同一符号を付し、重複する説明は省略する。
【００１９】
図１に示すように、フッ素含有排水処理システム１０は、反応槽（フッ化カルシウム生成手段）１、循環槽２、及び分離膜ユニット３を備えている。反応槽１は撹拌機４を有し、反応槽１には、原水であるフッ素含有排水がラインＬ１を通じて反応槽１に送られるようになっている。また、反応槽１で生成したフッ化カルシウム含有固形物を含む懸濁液がラインＬ２を通じて循環槽２に送られるようになっている。
【００２０】
循環槽２と分離膜ユニット３とはラインＬ３、Ｌ４、及びラインＬ４から分岐したラインＬ８で接続され、ラインＬ３の途中には循環ポンプ５が設けられている。循環槽２、ラインＬ３、循環ポンプ５、分離膜ユニット３、ラインＬ４、及びラインＬ８は、循環経路（濃縮循環手段）２３を構成している。循環経路２３へ反応槽１から送られた懸濁液を供給し、懸濁液を循環させることで、フッ化カルシウム含有固形物の濃度を高めた濃縮液と分離膜を透過した処理水とが得られる。分離膜ユニット３は、懸濁液を、分離膜３ｃを透過した液体と、フッ化カルシウム含有固形物を含む液体とに分離し、分離膜３ｃを透過した液体を、出口３ａからラインＬ５を通じて処理水として系外に排出している。一方、分離膜３ｃを透過しなかった懸濁液は、濃縮液として出口３ｂからラインＬ４に排出される。
【００２１】
ラインＬ５に設置されたフッ素濃度計（フッ素濃度検出手段）６は、分離膜ユニット３の出口３ａから出た処理水のフッ素濃度を検出している。ラインＬ４に設置された固形物濃度計（固形物濃度検出手段）７は、分離膜ユニット３の出口３ｂから出た濃縮液の固形物濃度を検出している。ラインＬ４から分岐したライン（濃縮液返送手段）Ｌ６を通じて濃縮液の一部が反応槽１に返送されている。ラインＬ６には、流量調整弁（濃縮液返送量調整手段）８及び流量計（濃縮液返送量検出手段）２１が設けられている。流量調整弁８は、濃縮液の返送量を調整している。流量計２１は、濃縮液の返送量を検出している。また、ラインＬ３から分岐したライン（濃縮液排出手段）Ｌ７を通じて濃縮液の一部が系外に排出されている。ラインＬ７には、流量調整弁（固形物濃度調整手段）９が設けられ、流量調整弁９は、濃縮液の排出量を調整している。
【００２２】
上記のフッ素含有排水処理システム１０で実行されるフッ素含有排水処理方法について説明する。このフッ素含有排水処理方法は、以下のフッ化カルシウム生成工程と、濃縮循環工程と、フッ素濃度検出工程と、濃縮液排出工程と、固形物濃度検出工程と、濃縮液返送工程と、濃縮液返送量検出工程と、固形物濃度調整工程と、濃縮液返送量調整工程とを備えている。
【００２３】
［フッ化カルシウム生成工程］
図１に示すように、まずラインＬ１を通じてフッ素含有排水を反応槽１に送り、反応槽１にカルシウム化合物を加える。撹拌機４で撹拌しながらフッ素とカルシウムを反応させ、フッ化カルシウムを析出させる。これによって、フッ化カルシウム含有固形物を含む懸濁液が生成される。カルシウム化合物としては、水酸化カルシウム（Ｃａ（ＯＨ）２）、酸化カルシウム（ＣａＯ）、塩化カルシウム（ＣａＣｌ２）等が挙げられる。反応槽１におけるカルシウム化合物の添加量は、通常の場合、原水であるフッ素含有排水中のフッ化物イオンに対して、０．５〜３．０倍当量程度とするのが好ましい。反応液は、必要に応じてｐＨ調整剤を添加し、ｐＨ６〜８、好ましくはｐＨ６〜７に調整される。ｐＨがこの範囲であると、フッ化カルシウムが析出しやすい。カルシウム化合物として、水酸化カルシウム（Ｃａ（ＯＨ）２）等を添加する場合には、水酸化カルシウム（Ｃａ（ＯＨ）２）自体がｐＨ調整剤として作用するために、別途ｐＨ調整剤を添加する必要はないが、不足する場合には、ｐＨ調整剤としてＮａＯＨ等のアルカリを添加する。
【００２４】
フッ化カルシウム生成工程におけるフッ素とカルシウムの反応時間は、通常の場合、概ね１０分以上となるように反応槽１の容積を設定することが好ましい。即ち、反応槽１内の反応液中のフッ素イオンが十分にカルシウムイオン及びフッ化カルシウム含有固形物と接して、フッ素イオン濃度を低減させるのに要する時間は１０分程度であるため、反応槽１における滞留時間は１０分以上とするのが好ましい。
【００２５】
なお、フッ化カルシウム含有固形物とは、純粋なフッ化カルシウムだけでなく、フッ化カルシウムを含有する固形物全般を示す用語として用いており、不純物等を含有するものも、フッ化カルシウム含有固形物に含まれる。
【００２６】
［濃縮循環工程］
反応槽１で得られた懸濁液は、ラインＬ２を通じて後段の循環槽２に送られ、循環経路２３を循環ポンプ５によって循環させられるようになっている。懸濁液は、分離膜ユニット３によって、分離膜３ｃを透過した液体と、フッ化カルシウム含有固形物を含む液体とに分離される。分離膜３ｃを透過した液体は、ラインＬ５を通じて処理水として系外に排出される。一方、フッ化カルシウム含有固形物を含む液体は、フッ化カルシウム含有固形物の濃度が高められた濃縮液として、分離膜ユニット３の出口３ｂからラインＬ４に排出され、循環を続ける。このように分離膜３ｃを有する循環経路２３で懸濁液を循環させることによって、フッ化カルシウム含有固形物の濃度を高めた濃縮液と分離膜３ｃを透過した処理水とが得られるようになっている。
【００２７】
循環槽２の容積は、濃縮液を流体工学的に循環可能な分だけ確保すればよく、反応時間や滞留時間としての指標はない。分離膜３ｃとしては、内圧式の精密ろ過膜（ＭＦ膜）または限外ろ過膜（ＵＦ膜）を用いることが好ましい。ＭＦ膜を用いる場合、その孔径が１μｍ以上であると、フッ化カルシウム含有固形物が透過して処理水に流出するキャリーオーバーのおそれがある。したがって、ＭＦ膜としては孔径１μｍ以下のものを用いることが好ましく、０．１〜０．８μｍのものがより好ましい。フッ化カルシウム含有固形物は、凝集剤を添加しない状態では１０μｍ以下の微細な粒子状で水中を浮遊しているが、この分離膜３ｃによれば、微細な粒子状の固形物を処理水から確実に除去することが可能である。
【００２８】
［フッ素濃度検出工程］
処理水のフッ素濃度は、ラインＬ５に設置されたフッ素濃度計６によって検出される。フッ素濃度計６の検出値が第２基準値を上回った場合には、後述する固形物濃度調整工程及び濃縮液返送量調整工程のうち少なくともいずれか一方が実行される。第２基準値は、処理水のフッ素濃度の上限目標値であり、排水放流基準値である８ｍｇ／Ｌより小さい値として、例えば、３ｍｇ／Ｌに設定されている。
【００２９】
［濃縮液排出工程］
濃縮循環工程における濃縮液の一部は、ラインＬ３から分岐したラインＬ７によって、系外に排出されるようになっている。濃縮液の排出によって、フッ化カルシウム含有固形物の濃度を適当な範囲に保つことができる。フッ化カルシウム含有固形物の濃度の適当な範囲は、１〜８％である。なお、濃縮循環工程における濃縮液の一部を、ラインＬ４から分岐したラインを通じて系外に排出するようにしてもよい。
【００３０】
［固形物濃度検出工程］
フッ化カルシウム含有固形物の濃度は、ラインＬ４に設置された固形物濃度計７によって検出される。固形物濃度計７の検出値に基づいて、後述の固形物濃度調整工程におけるフッ化カルシウム含有固形物の濃度の調整が行われる。
【００３１】
［濃縮液返送工程］
濃縮循環工程における濃縮液の一部は、ラインＬ４から分岐したラインＬ６によって、反応槽１のフッ化カルシウム生成工程に返送されるようになっている。濃縮液の返送によって、反応槽１では濃縮液に含まれる高濃度なフッ化カルシウム含有固形物が核剤となり、フッ素とカルシウムとの反応を促進するだけでなく、フッ化カルシウム含有固形物による晶析作用と吸着作用の相乗効果によって、溶存するフッ素の濃度を低くすることができる。
【００３２】
［濃縮液返送量検出工程］
濃縮液返送工程における濃縮液の返送量は、ラインＬ６に設置された流量計２１によって検出される。流量計２１の検出値に基づいて、後述の濃縮液返送量調整工程における濃縮液の返送量の調整が行われる。
【００３３】
［固形物濃度調整工程］
固形物濃度調整工程は、濃縮液排出工程における濃縮液の排出量を調整することによって、濃縮液におけるフッ化カルシウム含有固形物の濃度を調整する工程である。具体的には、固形物濃度計７の検出値が第１基準値になるように、濃縮液の排出量を調整する。例えば、濃縮液におけるフッ化カルシウム含有固形物の濃度が第１基準値を上回った場合、濃縮液排出工程における濃縮液の排出量を増加させる調整を行う。第１基準値は、濃縮液におけるフッ化カルシウム含有固形物の濃度の上限目標値であり、例えば、２００００ｍｇ/Ｌに設定されている。濃縮循環工程におけるフッ化カルシウム含有固形物の濃度が高すぎると、濃縮液の液粘度が上昇し、分離膜ユニット３を経由して濃縮液を循環させる際の循環ポンプ５の動力費が増大してしまう。更に、分離膜３ｃの膜表面のファウリング（膜詰まり）の進行速度が速くなり、分離膜３ｃのろ過水量が減ってしまう。加えて、分離膜３ｃの物理的逆流洗浄や化学的薬品洗浄の頻度が多くなり、洗浄費が増大してしまう。濃縮液排出工程における濃縮液の排出量は、ラインＬ７に設けられた流量調整弁９によって調整できるようになっている。濃縮液の排出量は、濃縮循環工程における濃縮液の循環量の０．１〜０．５％程度となっている。
【００３４】
［濃縮液返送量調整工程］
濃縮液返送量調整工程は、濃縮液返送工程における濃縮液の返送量を調整する工程である。具体的には、流量計２１の検出値が第３基準値になるように、濃縮液返送工程における濃縮液の返送量を調整する。濃縮液返送工程における濃縮液の返送量は、ラインＬ６に設けられた流量調整弁８によって調整できるようになっている。この流量は、フッ化カルシウム含有固形物の濃度によっても異なるが、概ね、原水であるフッ素含有排水の量に対して、０．１〜０．５倍量程度、好ましくは、０．１〜０．３倍程度とするのがよい。これより少ないと、フッ化カルシウム含有固形物によるフッ素濃度低減効果が十分に発揮されないおそれがある。また、これより大きいと、反応槽１における滞留時間が減少し、フッ化カルシウム生成工程における反応時間が不十分なものとなってしまう。
【００３５】
フッ素含有排水処理システム１０の定常状態における流量バランスの一例を図２に、固形物濃度の一例を図３にそれぞれ示す。図２において、ラインＬ１〜Ｌ８における流量は、Ｑ１〜Ｑ８にて表記し、図３において、ラインＬ１〜Ｌ８における固形物濃度は、Ｃ１〜Ｃ８にて表記する。例えば、原水であるフッ素含有排水のフッ素濃度（入口フッ素濃度）が２００ｍｇ／Ｌのときに、分離膜を出た濃縮液の固形物濃度が２００００ｍｇ／Ｌとなるように、濃縮液の系外排出量を流量調整弁９にて調整したとすると、マスバランス計算により、このときの濃縮液の系外排出量は、平均値として０．０２２８ｍ３／ｈであることがわかる。
【００３６】
続いて、本実施形態のフッ素含有排水処理方法における処理水のフッ素濃度（出口フッ素濃度）の調整について説明する。出口フッ素濃度は、入口フッ素濃度が変動しても、常に排水放流基準値である８ｍｇ／Ｌに達しないように調整しなければならない。そのため、出口フッ素濃度の上限目標値として第２基準値を設定し、フッ素濃度計６による検出値が第２基準値を上回ると、フッ化カルシウム生成工程におけるフッ素の処理能力を増強する調整が行われるようになっている。これに伴い、出口フッ素濃度は低減され、第２基準値を大きく上回ることがない範囲に調整されるので、出口フッ素濃度が排水放流基準値に達する可能性は極めて低い。なお、第１基準値は、排水放流基準値である８ｍｇ／Ｌより小さい値として、例えば、３ｍｇ／Ｌに設定されている。
【００３７】
フッ化カルシウム生成工程におけるフッ素の処理能力を増強する調整として、固形物濃度調整工程における第１基準値を増加させる調整、及び濃縮液返送量調整工程における第３基準値を増加させる調整のうち少なくともいずれか一方が行われる。これによって、反応槽１に返送される濃縮液の濃度を増加させ、反応槽１におけるフッ化カルシウム含有固形物の量を増加させることができる。
【００３８】
例えば、フッ素含有排水処理システム１０が定常状態（例えば、入口フッ素濃度が２００ｍｇ／Ｌと仮定）において、以下のような条件で運転していたとする。
フッ素含有排水量                            １ｍ３／ｈ
濃縮液返送量                            ０．１ｍ３／ｈ
濃縮循環工程の循環量（循環槽出口）        １０ｍ３／ｈ
濃縮液量                                    ９ｍ３／ｈ
循環槽への戻り量                        ８．９ｍ３／ｈ
濃縮液の固形物濃度（分離膜出口）    ２００００ｍｇ／Ｌ
出口フッ素濃度                          ３．０ｍｇ／Ｌ以下
【００３９】
入口フッ素濃度が不変（２００ｍｇ／Ｌのまま）の場合、流量調整弁９を閉じると、原水中のフッ素とカルシウム化合物が反応してフッ化カルシウムが生成し、固形物になる。さらに、分離膜３ｃでろ過された処理水が系外に排出されるため、濃縮循環工程における濃縮液の固形物濃度が徐々に上がっていくこととなる。流量調整弁９を調整し、濃縮液の固形物濃度が２００００ｍｇ／Ｌ（第１基準値）を維持するように、濃縮液排出工程の排出量を調整したとすると、上記運転条件では、濃縮液の系外排出量の平均値は、上記マスバランス計算により、０．０２２８ｍ３／ｈとなる。
【００４０】
ここで、入口フッ素濃度が上昇し、この結果、出口フッ素濃度が（３．０＋α）ｍｇ／Ｌに上昇したとする。出口フッ素濃度を再び３ｍｇ／Ｌ以下に下げるために、固形物濃度調整工程による濃縮液の固形物濃度を増やす調整、及び濃縮液返送量調整工程による濃縮液の返送量を増やす調整のうち少なくとも何れか一方を行って対応する。
【００４１】
対応方法として、例えば、出口フッ素濃度の上昇に対して、まず固形物濃度を上げる調整を行い、次に濃縮液返送量を増やす調整を行う方法がある。この一例を表１に示す。αの値に従って、濃縮液の固形物濃度（分離膜３ｃ出口）の調整目標値（第１基準値）、濃縮液の返送量の調整目標値（第３基準値）を表１のように切り替える調整を行う。これにより、出口フッ素濃度を下げることができる。しかし、固形物濃度を所定値（例えば、８％）以上に上げると膜ろ過の安定性が損なわれる。そのため、表１の調整では、αの値が大きくなり、固形物濃度の調整目標値が８％に達するＨ以降の調整は濃縮液の返送量を増やすことで対応する。
【表１】
2015016447.tif 000003
【００４２】
その他の対応方法として、例えば、出口フッ素濃度の上昇に対して、まず濃縮液返送量を増やす調整を行い、次に固形物濃度を上げる調整を行う方法がある。この一例を表２に示す。αの値の上昇に伴い、まず、濃縮液の返送量の調整目標値（第３基準値）を優先して上昇させる。しかし、濃縮液の返送量を所定値（例えば０．３０ｍ３／ｈ）以上に上げると、反応槽１における滞留時間が減少し、フッ化カルシウム生成工程における反応時間が不十分なものとなってしまう。そのため、表２の調整では、αの値が大きくなり、返送量の調整目標値が０．３０ｍ３／ｈに達するＦ以降の調整は固形物濃度を増やすことで対応する。
【表２】
2015016447.tif 000004
【００４３】
その他の対応方法として、例えば、出口フッ素濃度の上昇に対して、濃縮液返送量を増やす対応と、固形物濃度を上げる対応とを交互に行う方法がある。この一例を表３に示す。
【表３】
2015016447.tif 000005
【００４４】
一例として、出口フッ素濃度が３ｍｇ／Ｌ、濃縮循環工程における濃縮液の固形物濃度が２００００ｍｇ/Ｌである状況下で、原水であるフッ素含有排水におけるフッ素の平均濃度（入口フッ素濃度）が２００ｍｇ／Ｌから２５０ｍｇ／Ｌに上昇した場合の表１に従った調整について説明する。ここでは仮に、出口フッ素濃度も入口フッ素濃度の上昇率（２５０÷２００＝１．２５倍）と同じ率だけ上昇し、３ｍｇ／Ｌから３．７５ｍｇ／Ｌになったと仮定する。このとき、フッ素濃度計６による検出値が３．７５ｍｇ／Ｌとなり、第２基準値、即ち、３ｍｇ／Ｌを＋０．７５ｍｇ／Ｌだけ上回る。フッ素濃度が第２基準値を上回った数値α（ここではα＝０．７５ｍｇ／Ｌ）の大きさに応じて、固形物濃度調整工程における固形物濃度の第１基準値を増加させる調整、及び濃縮液返送量調整工程における濃縮液返送量の第３基準値を増加させる調整のうち少なくともいずれか一方を行う。即ち、αの値と、固形物濃度の第１基準値、濃縮液返送量の第３基準値を表１のように切り替える。ここでは、α＝０．７５ｍｇ／Ｌなので、表１に従って、固形物濃度の第１基準値を２００００ｍｇ/Ｌから４００００ｍｇ/Ｌに増加させる調整を行い、濃縮液返送量の第３基準値は変えずに０．１０ｍ３／ｈのまま維持する。
【００４５】
濃縮液の返送量を変えずに濃縮循環工程における濃縮液の濃度が２００００ｍｇ/Ｌから４００００ｍｇ/Ｌに上昇すると、フッ化カルシウム生成工程に返送されるフッ化カルシウム含有固形物の総量が２倍になるので、フッ素とカルシウムとの反応が促進され、この結果、処理水のフッ素濃度が徐々に低下する。原水中のフッ素の平均濃度が２５０ｍｇ／Ｌから２００ｍｇ／Ｌに向けて下降すると、処理水のフッ素濃度も下降する。処理水のフッ素濃度が３．５ｍｇ／Ｌを下回った時、即ち、αが０．５ｍｇ／Ｌを下回った時、表１に従って、固形物濃度の第1基準値を４００００ｍｇ/Ｌから３００００ｍｇ/Ｌに減少させる調整を行い、濃縮液返送量の第３基準値は変えずに０．１０ｍ３／ｈのまま維持する。以降、αの値の大きさに応じて、固形物濃度の第１基準値、濃縮液返送量の第３基準値を順次切り替える調整を行う。
【００４６】
ここでは、処理水のフッ素濃度におけるαの値の大きさに応じて、表１のように、αの値が小さい段階は、固形物濃度の第１基準値を増加させる調整を行い、固形物濃度の第１基準値が膜のろ過性能低下の恐れがある８００００ｍｇ/Ｌに達した後、さらにαが大きい段階では、濃縮液返送量の第３基準値も徐々に増加させる調整について説明した。しかし、本発明は、これに限定されるものではなく、表２や表３のように、本願発明の要旨を変更しない範囲で変更したものであってもよい。
【００４７】
なお、このような調整は、フッ素含有排水のフッ素濃度を検出して行うこともできるが、フッ素含有排水のフッ素濃度は絶対値や変動幅が大きいだけでなく、排水中の固形物などの外乱を受けやすい。したがって、処理水中の残留フッ素濃度を検出して行う方が、安定して精度よくフッ素濃度を検出することができ、実用上好ましい。
【００４８】
続いて、以上説明したフッ素含有排水処理方法及びフッ素含有排水処理システム１０による作用効果を説明する。
【００４９】
まず、比較のために、図４を用いて従来のフッ素含有排水処理方法及びフッ素含有排水処理システム２０について説明する。図４に示すように、従来のフッ素含有排水処理システム２０は、反応槽１１、第１凝集槽１３、第１沈殿槽１５、第２凝集槽１６、及び第２沈殿槽１８を備えている。原水であるフッ素含有排水を反応槽１１に導き、撹拌機１２で撹拌しながらカルシウム化合物を加える。次に、第１凝集槽１３に導き、撹拌機１４で撹拌しながら凝集剤としてＰＡＣを加える。次に、第１沈殿槽１５に導き、凝集体を沈殿させて、固液分離し、一次処理水を得る。次に、一次処理水を、第２凝集槽１６に導き、撹拌機１７で撹拌しながら凝集剤として硫酸バンドや高分子凝集剤を加える。次に、第２沈殿槽１８に導き、凝集体を沈殿させて、固液分離し、処理水を得る。
【００５０】
ここで、第１沈殿槽１５及び第２沈殿槽１８で分離されたフッ化カルシウム含有固形物は、不純物として凝集剤が含まれるため、蛍石（ＣａＦ２）としての工業的な再利用が困難であった。また、これを廃棄する際には、産業廃棄物として埋め立てなどの処理が必要となり、環境的負荷が大きくなるという問題もあった。しかし、カルシウム化合物の添加のみによるフッ素の沈殿除去では、フッ素濃度を１５〜３０ｍｇ／Ｌ程度にしか低くすることができないため、排水放流基準値を満足するためには、大量の凝集剤を使用しなければならなかった。
【００５１】
さらに、従来のフッ素含有排水処理方法及びフッ素含有排水処理システム２０では、第１沈殿槽１５及び第２沈殿槽１８が大型となり、広大な設置面積が必要なだけでなく、設備費が高くなるという問題もあった。加えて、フッ素濃度が変動する場合は、凝集剤の添加量の調整が困難であり、第１沈殿槽１５及び第２沈殿槽１８においてフッ化カルシウムの微粒子が沈殿しきらずにキャリーオーバーして放流されてしまい、処理水中のフッ化物濃度が上昇するおそれがあった。
【００５２】
一方、図１に示す本実施形態のフッ素含有排水処理方法及びフッ素含有排水処理システム１０では、反応槽１において、フッ素含有排水にカルシウム化合物を加えて、フッ化カルシウム含有固形物を含む懸濁液を生成し、分離膜３ｃを有する循環経路２３へ懸濁液を供給し、フッ化カルシウム含有固形物の濃度を高めた濃縮液を得る。そして、この濃縮液の一部を反応槽１に返送することで、濃縮液に含まれる高濃度なフッ化カルシウム含有固形物が核剤となって、フッ素とカルシウムとの反応を促進する。更に、フッ化カルシウム含有固形物による晶析作用と吸着作用の相乗効果によって、凝集剤を添加しなくても、溶存するフッ素の濃度を十分に低くすることができる。凝集剤の添加が不要となることから、フッ素含有排水中のフッ素濃度が変動する場合でも、煩雑な凝集剤の添加量の調整作業が不要となる。また、本実施形態で得られるフッ化カルシウム含有固形物は、純度の高い蛍石（ＣａＦ２）となり、工業的な再利用を容易に行うことができる。これに伴い、フッ化カルシウム含有固形物を廃棄する際の埋め立て処理や、環境的負荷の問題も解決することができる。さらに、沈殿槽が不要となることから、広大な設置面積が不要となり、設備費も低く抑えることができる。加えて、水中を浮遊する微細な粒子状のフッ化カルシウム含有固形物は、重力による沈殿が期待できないことから、従来の沈殿除去では大半の析出物がキャリーオーバーし流出してしまうが、本実施形態では分離膜３ｃを用いることから、確実に除去することができ、キャリーオーバーが生じない。
【００５３】
また、分離膜３ｃを透過した処理水のフッ素濃度が第２基準値を上回る場合は、濃縮液の固形物濃度（分離膜３ｃ出口）の調整目標値（第１基準値）を上げる調整、及び濃縮液の返送量の調整目標値（第３基準値）を上げる調整のうち少なくともいずれか一方を行うので、出口フッ素濃度が排水放流基準値に達する可能性は極めて低い。
【００５４】
また、分離膜３ｃは、内圧式の精密ろ過膜（ＭＦ膜）または限外ろ過膜（ＵＦ膜）であり、孔径が０．１〜０．８μｍであるため、微細なフッ化カルシウム含有固形物が透過して処理水に漏れるおそれがない。また、分離膜３ｃのろ過水量を安定的に保つことができ、分離膜３ｃの必要膜面積を抑えることができる。これにより、設備の設置面積及び設備費を抑えることができる。
【００５５】
また、濃縮循環工程における濃縮液の固形物濃度は、１００００ｍｇ/Ｌ〜８００００ｍｇ/Ｌであるため、フッ化カルシウム含有固形物によるフッ素濃度低減効果を十分に発揮しつつ、分離膜３ｃの濾過水量を安定的に保つことができる。
【００５６】
以上、本発明の実施形態について説明したが、本発明は、上記実施形態に限られるものではなく、各請求項に記載した要旨を変更しない範囲で変形したものであってもよい。
【００５７】
例えば、アルミニウム系凝集剤、高分子凝集剤といった凝集剤を本願発明の効果を損なわない範囲で、フッ化カルシウム生成工程において反応槽１に添加してもよい。また、例えば、濃縮液返送工程並びにライン（濃縮液返送手段）Ｌ６、これに伴って濃縮液返送量調整工程並びに流量調整弁（濃縮液返送量調整手段）８、及び濃縮液返送量検出工程並びに流量計（濃縮液返送量検出手段）２１を設けなくてもよい。循環経路２３においても、溶存するフッ素はカルシウム化合物が反応してフッ化カルシウムを生成し、固形物となる。したがって、これらを設けなくても、溶存するフッ素の濃度を低くすることができる。
【００５８】
また、例えば、図５に示すフッ素含有排水処理システム１０Ａのように、制御部２２を備えていてもよい。制御部２２は、例えば、コンピュータである。制御部２２は、フッ素濃度計６、固形物濃度計７、及び流量調整弁８、９、流量計２１とそれぞれケーブルで接続されている。フッ素濃度計６、固形物濃度計７、流量計２１の検出値が制御部２２に入力されると、制御部２２は、検出値に基づき、例えば表１〜３に従って自動的に流量調整弁８、９の開閉操作を行う。
【実施例】
【００５９】
以下、実施例及び比較例を挙げて本発明の内容をより具体的に説明する。なお、本発明はこれらの実施例に限定されるものではない。
［実施例］
【００６０】
図１に示すフッ素含有排水処理方法にしたがって、フッ素含有排水について処理を行った。まず、原水であるフッ素含有排水（Ｆ：２００ｍｇ／Ｌ、ｐＨ：３．２）を反応槽１に導入すると同時に、カルシウム化合物（ＣａＣｌ２：２０００ｍｇ／Ｌ）を添加し、ＮａＯＨによってｐＨを７に調整した。濃縮循環工程の固形物濃度が２００００ｍｇ／Ｌとなるように、濃縮循環工程から系外へ排出する濃縮液の排出量を流量調整弁９によって調整した。分離膜３ｃとしては、精密ろ過膜（ＰＶｄＦ製、孔径０．２μｍ）を使用し、循環槽２から分離膜ユニット３への循環流量は、分離膜３ｃの膜面クロスフロー流速が１ｍ／ｓｅｃとなるように設定した。濃縮循環工程から反応槽１への濃縮液の返送量は、原水と同じ流量とし、この条件で反応槽１における反応時間を１０分とした。
【００６１】
この結果、処理水（膜ろ過水）におけるフッ素濃度は、３ｍｇ／Ｌ程度で安定していた。また、濃縮循環工程から系外に排出された濃縮液を脱水した固形物は、純度の高いフッ化カルシウムで工業的に再利用が可能なものであった。
［比較例］
【００６２】
図２に示す従来のフッ素含有排水処理方法にしたがって、フッ素含有排水について処理を行った。まず、原水であるフッ素含有排水（Ｆ：２００ｍｇ／Ｌ、ｐＨ：３．２）を反応槽１１に導入すると同時に、カルシウム化合物（ＣａＣｌ２：２０００ｍｇ／Ｌ）を添加し、ＮａＯＨによってｐＨを７に調整した。第１凝集槽１３における凝集剤としてＰＡＣ（ポリ塩化アルミニウム：アルミニウムとして２５０ｍｇ／Ｌ）を加え、第２凝集槽１６における凝集剤として、硫酸バンド（硫酸アルミニウム：アルミニウムとして１００ｍｇ／Ｌ）と高分子凝集剤（ＰＡＭ：２ｍｇ／Ｌ）を加えた。
【００６３】
この結果、第２沈殿槽１８で固液分離して得られた処理水のフッ素濃度は、５〜６ｍｇ／Ｌで安定していた。しかし、第１沈殿槽１５及び第２沈殿槽１８で分離された汚泥を脱水した固形物には、アルミニウムや有機物といった、第１凝集槽１３及び第２凝集槽１６で添加した凝集剤成分が含まれており、フッ化カルシウムとして工業的な再利用が困難なものであった。
【符号の説明】
【００６４】
１…反応槽、２…循環槽、３…分離膜、５…循環ポンプ、６…フッ素濃度計、７…固形物濃度計、８，９…流量調整弁、１０，１０Ａ…フッ素含有排水処理システム、２１…流量計、２２…制御部、２３…循環経路、Ｌ１〜Ｌ８…ライン。
【図１】
2015016447.tif 000006
【図２】
2015016447.tif 000007
【図３】
2015016447.tif 000008
【図４】
2015016447.tif 000009
【図５】
2015016447.tif 000010